【事件の表示】
　特願２００１−３２５６７１「保持軸付加ハリ」拒絶査定不服審判事件〔平成１５年３月２５日出願公開、特開２００３−８８２７７〕について、次のとおり審決する。
【結　論】
　本件審判の請求は、成り立たない。
【理　由】
１．手続の経緯
　本願は、平成１３年（２００１年）９月１７日に出願された特願２００１−３２５６７１号の特許出願であって、原審における平成１５年１０月２０日付けの拒絶理由通知に対し、平成１５年１２月２６日付けの意見書が提出され、前記拒絶理由による平成１６年３月１９日付けの拒絶査定に対し、拒絶査定不服審判の請求が平成１６年４月３０日（受付日平成１６年５月６日）になされたものである。
　
２．本願発明
　本願発明は、平成１３年９月１７日に出願された出願当初明細書の特許請求の範囲の請求項１に記載された事項により特定される次のとおりのもの（以下、これを「
本願発明
　「【請求項１】　釣り用ハリの耳部の裏側から釣り餌の保持軸を伸ばして軸に沿わせ、保持軸にも餌の保持力を持たせる事で、釣り餌の保持力を向上させた事を特徴とする保持軸付加ハリ」
　
３．引用刊行物における記載事項
（１）原審における拒絶査定の理由に引用された刊行物であって、本願の特許出願前に頒布された実願平４−７８３４４号（実開平６−３３４６５号）のＣＤ−ＲＯＭ（以下、「
引用刊行物
「【実用新案登録請求の範囲】
　【請求項１】　つ状に形成した釣針１の基部１ｃに重錘２を取り付け、前記釣針１の近傍に該釣針１と略平行に刺針４を設けたことを特徴とする剣付太刀魚針。」
「【０００１】【産業上の利用分野】
　本考案は、針に太刀魚の餌である小魚を安定的に取り付け、且つ太刀魚の喰い付きを良好にした剣付太刀魚針に関するものである。
　【０００２】【従来の技術】
　従来、この種の針としては、平鈑より成る円形重錘の周縁に導糸挿通孔を設け、該導糸挿通孔取付位置を前記重錘の上端部とし、該重錘の側部に針の直線部が水平となり且つ先端部が下方になるように針の基部を取り付けると共に、該針の上端縁重錘の近傍に棒状突起を立設したものが提案されている。そして、太刀魚の餌である鰯、さより等の小魚を縫いざしにしてこの太刀魚針に取り付けて使用していた。
　【０００３】【考案が解決しようとする課題】
　しかしながら、前記従来の技術で述べた太刀魚針であると、餌である鰯、サヨリ、キビナゴ、小アジ、どじょう等を直接釣針に縫いざしにより取り付けるため、餌である小魚腹部のどの位置に針先をぬくか計測作業をしなければならず、夜間にこの作業を行うと太刀魚針は長く鋭いため危険であるという問題点があった。
　【０００４】　又、金属線の巻き付けにより餌である小魚を釣針に取り付けるので、釣針を投げたり牽引したりすると、小魚が螺旋状に形成された金属線内で回転し、仕掛けを引っ張って太刀魚を誘引する際に、仕掛けが横振れを起こし、不自然な動きになる為、太刀魚の喰い付きが悪くなるという問題点があった。
　【０００５】　そこで、本考案は前記従来の欠点を除くために、釣針の上方に刺針を取り付けることにより、安全且つ簡便に餌である小魚を釣針に取り付け得る剣付太刀魚針を提供することを目的とするものである。
　【０００６】【課題を解決するための手段】
　上記目的を達成するために、本考案剣付太刀魚針は、つ状に形成した釣針の基部に重錘を取り付け、前記釣針の近傍に該釣針と略平行な刺針を設けたものである。」
「【００１０】【作用】
　本考案は、小魚体内の長手方向に沿って刺針を刺し通すため、太刀魚の餌である小魚は左右動不可能なため安定的に釣針に取り付けられる。」
「【００１３】【実施例】
　以下、図を参照にして本考案の好適な実施例について説明する。
　【００１４】　図１及び図２に示される実施例において、彎曲部１ａが下方へ彎曲するように、直線部１ｂの長い釣針１の基部１ｃを球状重錘２の周面に取り付けている。釣針１の下端縁に突起３を設けている。刺針４は、釣針１の稍々上方に、釣針直線部１ｂと略平行な位置関係となるように、その基部４ａを重錘２に取り付けている。５は例えば銅線等の金属線である。６は、餌用小魚、７は導糸挿通孔である。
　【００１５】　本実施例においては、刺針４を鰯等の小魚６の体内に刺し通し、金属線５で小魚６を釣針１に巻き付けて使用するものである。突起３は、金属線５を掛止する使用をなす。」
「【００２０】【考案の効果】
　請求項１記載の考案は釣針と略平行に小魚取付用刺針を設けているので、餌用小魚の背骨に沿って刺針を刺し通すことが出来、小魚が左右動せず安定的に釣針に取り付けることができるという効果がある。」
　
　そして、引用刊行物に添付の図１及び図２には、明細書の考案の詳細な説明欄に記載の上記技術事項を裏付ける、釣針１及び刺針４を備えた剣付太刀魚針が図示されている。
　
　そうすると、引用刊行物の上記摘記事項及び添付図面の記載からみて、前記引用刊行物には、次の発明（以下、これを、「
引用発明
　「つ状に形成した彎曲部１ａが下方へ彎曲するように、直線部１ｂの長い釣針１の基部１ｃを球状重錘２の周面に取り付けるとともに、前記釣針１の稍々上方で釣針直線部１ｂと略平行な位置関係となるような前記釣針１の近傍に、鰯等の餌用小魚６が左右動せず安定的に釣針１に取り付けるための、餌用小魚６の体内に刺し通す刺針４の基部４ａを重錘２に取付け、さらに釣針１に取付けた金属線５で餌用小魚６を釣針１に巻き付けるようにした剣付太刀魚針」
　
（２）本願の特許出願前に頒布された登録実用新案第３０５４３１８号公報（以下、「
周知技術文献１
「【実用新案登録請求の範囲】
　【請求項１】　２本の釣針４、５を一体にし、釣針４、５の開き角度を９０度から１８０度内に配し、釣針４、５のふところ部４ａ、５ａ及びもと部４ｂ、５ｂの大きさ、長さを違わせ２本の釣針４、５で餌を抱くようにしたことを特徴とする釣針。」
「【０００１】【考案の属する技術分野】
　本考案は、魚釣り用の釣針に関するものである。
　【０００２】【従来の技術】
　一般に、釣針は１本の釣針４に餌（海老、おきあみなど）を腹掛け、背掛けする図１のものがある。
　【０００３】【考案が解決しようとする課題】
　１本の釣針４に餌を腹掛け、背掛けするため、魚の針掛かりが中途半端である時、餌の一部を喰いちぎられたり、魚が針掛かりしたあと、魚が暴れ、ばらすことが間々ある。そのために、餌が外れにくく、針掛かりした後に魚が暴れ、ばらすことを少なくする釣針が望まれる。
　【０００４】【課題を解決するための手段】
　本考案釣針は、図２において、２本の釣針４、５を一体にし、９０度から１８０度以内に配し、餌を２本の釣針４、５で抱くように保持することにより、餌を外れにくくすると共に、魚の針掛かりを向上することができる。
　【０００５】【考案の実施の形態】
　考案の実施の形態について図面を参照して説明する。
　【０００６】【実施例】
　図２において、ハリス３はさる環２を介し道糸１に結束され、ハリス３の末端に２本の釣針４、５を一体にし、取り付けられる。
　図３において、２本の釣針４、５を一体とし、それぞれの釣針のふところ部４ａ、５ａ、もと部４ｂ、５ｂの大きさ、長さを違わせ、かつ、釣針４、５の開き角度を９０度から１８０度以内に形成した釣針である。
　【０００７】【考案の効果】
　本考案は２本の釣針４、５を一体にし、釣針４、５の大きさ、長さを違わせ、かつ、開き角度を９０度から１８０度以内に配することにより、図４に示すように２本の釣針４、５で餌を抱くように保持でき、魚の針掛かりを２本の釣針４、５で行うため、魚の針掛かりを向上させ、魚のばらしを減少させられる。」
　
（３）本願の特許出願前に頒布された特開昭５６−６１９３８号公報（以下、「
周知技術文献２
　「現在の釣針の尖端には１個の戻り止めの鈎がついているだけであるので、其の戻り止めと同様の鈎を釣針の主軸の背又は其の周囲に複数取りつけ、餌が大きい場合は釣針から餌が逃げないように、釣針の主軸に向かって餌の上から本発明の金具６にて押さえつけて餌の逃げるのを防ぐ装置。」（１頁左欄４〜９行の特許請求の範囲）
　「この発明は、魚を釣る場合、釣針に餌をつけるのであるが、其の餌は釣り揚げる魚によって、ミミズ、ゴカイ等共の他さまざまであるが、餌が直ぐなくなったり、なくなっているにもかかわらずその儘気づかずに長時間待っている事がある。其の原因は釣針に餌をつけた場合餌のつけ具合が悪かったり、生き餌自体の動きで逃げたり、水の流れ等によって、自然に流失してしまったり種々様々あります。
　したがって現在の様な釣針の尖端に１個だけの戻り止めの鈎だけでは餌の亡失防止は不十分であるので、本発明の様に釣針本体の背又は其の周囲に餌の亡失を防ぐ目的として戻り止めの鈎を１個または複数取りつける。又餌の大きなものには、餌の上から釣針の主軸に向って本発明の鈎のついた、金具６にて餌の中に押し込み、餌を針に固定し餌が容易に逃げないようにしようと言うものであります。
　これを図について説明するならぱ、第１図は本発明の大きな餌を針に取りつけた場合の使用状態を示す正面図であり、６が其の餌を針に固定するための移動自由の金具である。第２図は其の金具を固定するためのゴム又は合成樹脂の側面断面図で８なる糸が通る程の孔があいており中央の四角の部分は釣針の耳の部分が自由に入るための空室であり第３図の様になっている。第３図は第２図の部分の正面断面図で釣針の入っている状態で釣針の耳４で止った処の図面である。第４図は小さな餌、ミミズ又はゴカイ等の様に小さな餌の場合は本発明の押え金具６を釣り糸からはずせば、２なる複数の鈎だけで餌は逃げられないのである。したがって其の状態を示す正面図である。
　即ち７は釣り糸を上下出来る解であり、釣針の本体１に餌をつけてから７を下げて餌の上から押え、４なる耳のところで止める解である。そうすることによって餌は２と６の鈎で挟むのでなかなか無くならないのである。」（１頁左欄１１行〜２頁左上欄６行）
　
４．当審の判断
（１）対比及び一致点・相違点
　本願発明と上記引用発明とを対比すると、引用発明の「つ状に形成した彎曲部１ａが下方へ彎曲し直線部１ｂの長い釣針１」、「釣針１の基部１ｃ」、「鰯等の餌用小魚６」、「刺針４」、「釣針直線部１ｂ」及び「剣付太刀魚針」のそれぞれが、本願発明の「釣り用ハリ」、「耳部」、「釣り餌」、「保持軸」、「軸」及び「保持軸付加ハリ」のそれぞれに対応する。
　そうすると、本願発明と引用発明とは、「釣り用ハリに釣り餌の保持軸を伸ばして軸に沿わせた保持軸付加ハリ」である点で一致し、次の点で両者の構成が相違する。
　
相違点１
　
　
相違点２
　
（２）相違点についての検討
ア．相違点１について
　釣針において、釣針にハリスを巻き付けるもと部（本願発明の「耳部」に対応する。）の裏面側に、餌を抱くように保持させて餌のはずれを防ぐための第２の餌保持用釣針を取り付けることは、本願特許出願時の周知技術（その一例として、上記周知技術文献１を参照。）である。
　そうしてみると、引用発明の釣針１の基部１ｃに対し前記周知技術を適用することにより、本願発明の上記相違点１に係る前記「保持軸を釣り用ハリの耳部の裏側から伸ばし」の構成とすることは、当業者が格別の困難を要することなく容易になし得る設計事項である。
　
イ．相違点２について
　釣針に釣り餌を取付ける場合に、釣針の本体の基端部の裏側から釣針の本体の軸に沿わせて伸ばした押え金具（本願発明の「保持軸」に対応する。）で釣針の本体に取り付けた餌を上から押さえ付けることにより、釣針における釣り餌の保持力の向上を図る技術は、本願特許出願時の周知技術（その一例として、上記周知技術文献２を参照。）である。
　そうしてみると、引用発明の刺針４に対して上記周知技術を適用し、釣針直線部１ｂに沿うように釣針１の基部１ｃに取りつけた刺針４に鰯等の餌用小魚６を保持する役割を併せ持たせて、釣り餌の保持力を向上させるように変更することにより、本願発明の上記相違点２に係る前記「保持軸にも餌の保持力を持たせる事で、釣り餌の保持力を向上させ」の構成を得ることは、当業者が格別の困難を要することなく適宜採用し得る設計事項である。
　
　そして、本願発明の奏する作用効果は、引用発明及び周知技術から予測できる範囲内のものであって、格別のものということができない。
　
（３）まとめ
　したがって、本願発明は、引用発明及び周知技術に基いて当業者が容易に発明をすることができたものであるから、本願発明は特許法第２９条第２項の規定により特許を受けることができない。
　
５．むすび
　以上のとおりであり、本願発明は特許法第２９条第２項の規定により特許を受けることができないから、本願は、拒絶すべきものである。
　よって、結論のとおり審決する。